(57)【要約】【課題】電子機器の背面側に集中している熱を、電子機器の前面側を覆う外装部材の裏面部へ伝えること。【解決手段】電子機器は、前面側に配置されている金属製のフロントカバー１１を備え、金属よりも熱伝導率の低いフロントグリップ１２が取り付けられている。電子機器の背面側には、発熱量の多い電子部品７４を実装した電子回路基板７２が配置される。金属製のコネクタベース１０３には、外部接続コネクタ７３ａ〜７３ｃを露出させる開口が形成され、電子部品７４で発生する熱が伝えられる。伝熱シート１０６ａはフロントカバー１１のフロントグリップ１２が配置される部分の裏面とコネクタベース１０３との間に配置される。【選択図】図２
2013135182.tif 000002
【特許請求の範囲】
【請求項１】
電子機器の前面を覆い、グリップ部が形成される金属製の外装部材と、
金属よりも熱伝導率の低い材料で形成され、前記グリップ部の表面に配置されるグリップ部材と、
前記電子機器の背面側に配置され、発熱する第１の電子部品が実装される回路基板と、
前記電子機器と外部機器とを接続する外部接続コネクタと、
前記外部接続コネクタを露出させる開口が形成され、前記電子部品で発生する熱が伝えられる金属製のコネクタベース部材と、
前記外装部材の前記グリップ部材が配置される部分の裏面と前記コネクタベース部材との間に配置される第１の伝熱部材と、
を備えることを特徴とする電子機器。
【請求項２】
前記コネクタベース部材には、前記外部接続コネクタを覆う第１の庇部を形成し、
前記第１の庇部と前記外部接続コネクタとの間に第２の伝熱部材を配置することを特徴とする請求項１に記載の電子機器。
【請求項３】
前記コネクタベース部材には、前記電子部品を覆う第２の庇部を形成し、
前記第２の庇部と前記電子部品との間に第３の伝熱部材を配置することを特徴とする請求項１または請求項２に記載の電子機器。
【請求項４】
前記回路基板には、発熱する第２の電子部品が実装され、
前記コネクタベース部材の第１および第２の庇部には、操作部材を支持する金属製の支持部材が取り付けられ、
前記支持部材と前記第２の電子部品との間に第４の伝熱部材を配置することを特徴とする請求項１ないし３のいずれか１項に記載の電子機器。
【請求項５】
前記コネクタベース部材は、ストラップを取り付けるためのストラップベースと一体的に形成されていることを特徴とする請求項１ないし４のいずれか１項に記載の電子機器。
【請求項６】
前記コネクタベース部材は前記回路基板のグランドパターンと導通していることを特徴とする請求項１から請求項５のいずれか１項に記載の電子機器。
【発明の詳細な説明】
【技術分野】
【０００１】
本発明は、電子機器における放熱構造に関するものである。
【背景技術】
【０００２】
デジタルカメラ等の電子機器は、撮像素子の高画素化、駆動および信号処理の高速化、画像処理の高速化、多機能化が進んでいる。これに伴って電子部品の消費電力が増加し、その結果、電子部品から発生する熱も増加している。その冷却には様々な方法が提案されている。電子部品の温度上昇および外装カバーの局所的な温度上昇を抑えるため、発熱部品に対して伝熱シートを押し当てるとともに、外装カバーの低温面に伝熱シートで熱を伝える構造が知られている。これにより、電子部品の冷却と共に外装カバーの表面温度の局所的なピークを抑えることができる（特許文献１参照）。
【先行技術文献】
【特許文献】
【０００３】
【特許文献１】特開平１０−２２９２８７号公報
【発明の概要】
【発明が解決しようとする課題】
【０００４】
しかしながら、従来の構造では、外装カバーの表面温度の上昇を抑える上で限界があった。つまり、発熱する電子部品をより多く実装した基板や、発熱する電子部品が特定の場所に集中している基板等を備える装置、あるいは電子部品のさらなる消費電力の増大等に対処することが困難である。外装カバーに熱を逃がす方法だけでは十分でなく、外装カバーの表面温度が上昇した場合、その箇所にユーザの手が触れてしまう可能性についての対策を必要とする。
本発明の目的は、電子機器の背面側に集中している熱を、電子機器の前面側を覆う外装部材の裏面部へ伝える伝熱構造を有する電子機器を提供することである。
【課題を解決するための手段】
【０００５】
上記課題を解決するために、本発明に係る電子機器は、電子機器の前面を覆い、グリップ部が形成される金属製の外装部材と、金属よりも熱伝導率の低い材料で形成され、前記グリップ部の表面に配置されるグリップ部材と、前記電子機器の背面側に配置され、発熱する第１の電子部品が実装される回路基板と、前記電子機器と外部機器とを接続する外部接続コネクタと、前記外部接続コネクタを露出させる開口が形成され、前記電子部品で発生する熱が伝えられる金属製のコネクタベース部材と、前記外装部材の前記グリップ部材が配置される部分の裏面と前記コネクタベース部材との間に配置される第１の伝熱部材と、を備えることを特徴とする。
【発明の効果】
【０００６】
本発明によれば、電子機器の背面側に集中している熱を、電子機器の前面側を覆う外装部材の裏面部へ伝えることができる。
【図面の簡単な説明】
【０００７】
【図１】図２ないし７と併せて本発明の実施形態に係る電子機器を説明するために、内部構造を示す背面図（Ａ）と斜視図（Ｂ）である。
【図２】図１の断面図（Ａ）ないし（Ｃ）である。
【図３】電子機器を正面側から見た場合の斜視図である。
【図４】電子機器を背面側から見た場合の斜視図である。
【図５】電子機器のシャーシ構造を示す斜視図である。
【図６】コネクタカバーユニットの分解斜視図である。
【図７】コネクタカバーユニットを組み付けた状態を示す斜視図である。
【発明を実施するための形態】
【０００８】
以下、本発明の実施形態に係る電子機器について図面を参照して詳細に説明する。
図１および図２に示す電子機器の内部構造を説明する前に、図３（Ａ）および図４（Ａ）を参照して電子機器の外観を説明する。なお、電子機器の本体部にてレンズ部が配置される面を電子機器の前面と定義して、各部の前後方向の位置関係を説明する。
【０００９】
図３（Ａ）は、本発明の実施形態に係る電子機器の一例としてデジタルカメラ１を正面側から見た場合の斜視図である。デジタルカメラ１の前面には、被写体からの光を取り込むレンズユニット１３と、回転式で取り外し可能なバヨネットキャップ１４が配置されている。バヨネットロックボタン１５は、バヨネットキャップ１４を取り外す際にロックを解除するための操作部材である。レンズユニット１３の上部には撮影構図を決める際に使用するファインダーユニット１６が配置されている。金属製のフロントカバー１１はデジタルカメラ１の前面を覆う外装部材として機能し、カメラ内部で発生した熱を外部へ放熱する役割も果たしている。フロントカバー１１には、グリップ部としてのフロントグリップ部が形成されている。そして、フロントグリップ部の表面には、ユーザがカメラ本体を把持する際に指かかりとなるグリップ部材としてフロントグリップ１２が配置されている。
【００１０】
図４（Ａ）は、デジタルカメラ１を背面側から見た場合の斜視図である。デジタルカメラ１の背面には、撮影画像の表示手段としてバリアングルＬＣＤ表示部４１が配置されている。バリアングルＬＣＤ表示部４１は、ヒンジ部４２によってカメラ本体と接続されているので、ユーザは開閉操作および回転操作が可能である。バリアングルＬＣＤ表示部４１の右側には、操作ボタン２３ａ−ｅと、操作ダイヤルボタン２４ａ、およびユーザが所望の選択肢を決定するためのＳＥＴボタン２４ｂが配置されている。また、バリアングルＬＣＤ表示部４１の上側には、ショートカットボタン２５ａおよび再生ボタン２５ｂが配置されている。ユーザはこれらのボタンを操作して、撮影画像をバリアングルＬＣＤ表示部４１に表示し、また様々な設定を行う。前記操作ボタンは、装置筐体を構成する外装部材としてのリアカバー２１に設けられて、貫通穴から外部に露出している。リアカバー２１には、ユーザがカメラ本体を把持する際に指かかりとなるリアグリップ２２が配置されている。
【００１１】
デジタルカメラ１の上面にて、その中央部よりも右側にはモードダイアル３５および露出補正ダイヤル３６が配置されている。ユーザはモードダイアル３５の操作によって動画や静止画の撮影モードを切り替えることができ、また露出補正ダイヤル３６の操作によって露出補正を設定できる。その他、カメラ本体の上面には、撮影動作を開始するためのレリーズボタン３７、変倍操作のためのズームレバー３８、電源ＯＮ／ＯＦＦ操作を行うための電源ボタン３９が配置されている。アクセサリーシュー３４は上面中央に配置され、外部ストロボ等のアクセサリ部品を取り付け可能となっている。アクセサリーシュー３４の左側には、ポップアップストロボ３３が配置されており、ストロボレバー３２のスライド操作によって上方へ突出し、不使用時には筐体内に収納される。カメラ本体の上面部を形成する外装部材はトップカバー３１である。
【００１２】
デジタルカメラ１のグリップ側（背面からみて右側）の側面部には、外部接続コネクタを覆い隠すためのコネクタカバー１０１が配置されている。コネクタカバー１０１の上側には、ストラップを通すためのストラップベース１０２ａが配置され、これに対応する反対側の側面部にストラップベース１０２ｂ（図３（Ａ）参照）が配置されている。また、コネクタカバー１０１の下側には、ＤＣカプラーに接続されたケーブルを通すための開口を覆い隠すためのシャッターカプラー２０１、およびシャッターカプラー蓋２０２が配置されている。
【００１３】
次に、図３（Ｂ）および図４（Ｂ）を参照して、フロントカバー１１およびリアカバー２１を取り外した状態におけるデジタルカメラ１の内部構造を説明する。図３（Ｂ）は正面側から見た場合の斜視図であり、図４（Ｂ）は背面側から見た場合の斜視図である。
図４（Ｂ）に示す背面側には、ＣＣＤ（電荷結合素子）やＣＭＯＳ（相補型金属酸化膜半導体）等を用いた撮像素子を実装したセンサ回路基板７１と、各種信号処理回路を有する信号処理基板７２が配置されている。信号処理基板７２は回路基板として機能する。これらの基板には発熱量の多い複数の電子部品が実装されているため、背面側に発熱量の多い電子部品が集中している。これに対して、図３（Ｂ）に示す正面側には、電子回路基板が殆ど配置されておらず、発熱量の多い電子部品は少ない。
図４（Ｂ）の信号処理基板７２には、発熱量の多い電子部品７４ａ、７４ｂが実装されている。電子部品７４ａが第１の電子部品に相当し、電子部品７４ｂが第２の電子部品に相当する。また、信号処理基板７２には、外部接続コネクタ７３ａ〜７３ｃが実装されている。デジタルカメラ１をパーソナルコンピュータやテレビジョン装置などの外部機器に接続する外部接続コネクタ７３ａ〜７３ｃは、信号処理基板７２上にて、グランドパターンに対して大きな実装面積を占めている。そのため、電子部品７４ａ、７４ｂ等から発生した熱は、グランドパターンを通って、外部接続コネクタ７３ａ〜７３ｃの外形を構成する金属シェルに集まる。その結果、外部接続コネクタ７３ａ〜７３ｃの温度が上昇する傾向がある。
【００１４】
図５は、デジタルカメラ１の構造体となるシャーシ構造を例示する。図５（Ａ）は背面側から見た場合の斜視図、図５（Ｂ）は正面側から見た場合の斜視図である。シャーシは、背面側に位置するリアシャーシ６１と、正面側に位置するフロントシャーシ６２と、背面から見て左側面に位置するサイドシャーシ６３と、上面側に位置するアクセサリーシュープレート６４を有する。アクセサリーシュープレート６４はアクセサリーシュー３４を支持する部材である。また背面から見て右側面部には、バッテリーボックス６５、バッテリーボックスプレート６６が配置され、下面部に三脚座６７が配置されている。これらの部材は全てビスを用いて締結されることで、略一体型の箱形状をなしており、これによりレンズユニット１３、ファインダーユニット１６等の光学ユニットを堅持可能な構造となっている。また、このシャーシ構造は、デジタルカメラ１全体の構造躯体となり、落下等にも十分耐える強度をもつ。
【００１５】
図６は、コネクタカバーユニット１００の分解斜視図である。コネクタベース部材であるコネクタベース１０３には、外部接続コネクタ７３ａ〜７３ｃを露出させる開口が形成されている。また、コネクタベース１０３には、ストラップベース１０２ａが一体的に形成されている。コネクタベース１０３は、亜鉛やアルミニウムのダイキャスト等で形成されて十分な強度を有するので、ストラップへの過度のストレスにも耐えられる。さらに、コネクタベース１０３には、コネクタベース１０３から突出した庇部１０３ａ、１０３ｂが設けられている。庇部１０３ａが第１の庇部に相当し、庇部１０３ｂが第２の庇部に相当する。コネクタベース１０３の庇部１０３ａ、１０３ｂは、発熱量の多い外部接続コネクタ７３ａ〜７３ｃや電子部品７４ａ、７４ｂから発生する熱を伝達する役割と、後述する操作ボタンユニット１０７を取り付ける取付部としての役割を果たしている。コネクタカバー１０１は、開閉の回転軸となるコネクタカバーシャフト１０４と、閉方向への付勢力を与えるコネクタカバースプリング１０５を用いて、コネクタベース１０３に取り付けられる。コネクタベース１０３には、フロントカバー１１に覆われる部分１０３ｃが形成される。伝熱シート１０６ａは、コネクタベース１０３に形成されるフロントカバー１１に覆われる部分１０３ｃに貼着される。伝熱シート１０６ｂは、コネクタベース１０３に形成される庇部１０３ａの裏側に貼着される。伝熱シート１０６ａが第１の伝熱部材に相当し、伝熱シート１０６ｂが第２の伝熱部材に相当する。コネクタベース１０３は電子回路基板のグランドパターンと導通しており、さらに、外部接続コネクタ７３ａ〜７３ｃの周囲を覆っているため、外部接続コネクタ７３ａ〜７３ｃへの静電気の影響を回避可能である。
【００１６】
次に、コネクタカバーユニット１００の組み付けについて説明する。コネクタカバー１０１とコネクタカバースプリング１０５はコネクタベース１０３に組み付けられ、コネクタカバーシャフト１０４が挿入されてコネクタカバー１０１が軸支される。コネクタベース１０３に対して伝熱シート１０６ａ、１０６ｂを所定の位置に貼り付ける作業が行われる。
図７は、コネクタカバーユニット１００をカメラ本体に組み付けた状態で背面側から示す内部構造の斜視図である。コネクタカバーユニット１００を組み付ける前に、発熱量の多い電子部品７４ａの上に伝熱シート１０６ｃを貼り付ける作業が行われる。伝熱シート１０６ｃが第３の伝熱部材に相当する。その後、コネクタカバーユニット１００の組み付け作業が終了すると、コネクタベース１０３の庇部１０３ｂと伝熱シート１０６ｃが接触し、庇部１０３ａの裏側に貼り付けられた伝熱シート１０６ｂは、外部接続コネクタ７３ａと接触する。
【００１７】
図１（Ｂ）は、コネクタカバーユニット１００の組み付け後に、操作ボタンユニット１０７を組み付けた状態を背面側から示す斜視図であり、フロントカバー１１、フロントグリップ１２を組み付けた状態を示す。操作ボタンユニット１０７は、操作ダイヤルボタン２４ａおよびＳＥＴボタン２４ｂと、操作ボタン２３ａ〜２３ｅ等の操作部材で構成されるユニットである。操作ボタンユニット１０７は、金属製の支持部材である操作ボタンプレート１０７ａ上に構成されている。操作ボタンユニット１０７の組み付け前には、電子部品７４ｂの上に伝熱シート１０６ｄを貼り付ける作業が行われる。伝熱シート１０６ｄが第４の伝熱部材に相当する。その後、操作ボタンユニット１０７の組み付けが行われると、操作ボタンプレート１０７ａと伝熱シート１０６ｄが接触する。さらに、フロントカバー１１とフロントグリップ１２を組み付けると、コネクタベース１０３の部分１０３ｃに貼り付けられている伝熱シート１０６ａは、フロントカバー１１のフロントグリップ部の裏面部１１ａ（図２参照）と接触する。
【００１８】
次に、図２を参照して本実施形態の放熱構造を説明する。
図２は、図１に示す状態のデジタルカメラ１の断面図である。図２（Ａ）は、電子部品７４ｂの中心付近を図１に示すＡ−Ａ線に沿って切断した場合の断面図である。図２（Ｂ）は、電子部品７４ａの中心付近を図１に示すＢ−Ｂ線に沿って切断した場合の断面図である。図２（Ｃ）は、外部接続コネクタ７３ａの中心付近を図１に示すＣ−Ｃ線に沿って切断した場合の断面図である。
図２（Ａ）にて、発熱量の多い電子部品７４ｂより発生する熱は、伝熱シート１０６ｄを伝わって、操作ボタンプレート１０７ａに伝わる。この操作ボタンプレート１０７ａは、コネクタベース１０３の庇部１０３ａ、１０３ｂに取り付けられているので、コネクタベース１０３に熱が伝わる。熱はさらにコネクタベース１０３に貼り付けられている伝熱シート１０６ａを介して、フロントカバー１１のフロントグリップ部の裏面部１１ａに伝わる。フロントグリップ部はフロントカバー１１の前面にフロントグリップ１２を貼り付けた部分であり、裏面部１１ａはフロントカバー１１にフロントグリップ１２を貼り付けた部分とは反対側の裏面側部分である。また、図２（Ａ）に図示するようにフロントカバー１１には、伝熱シート１０６ａを介することなく、コネクタベース１０３の部分１０３ｃに近接する領域１１ｂが形成されている。コネクタベース１０３に伝えられた熱は、伝熱シート１０６ａを介することなく、直接フロントカバー１１の領域１１ｂに伝わる。
【００１９】
次に図２（Ｂ）の断面図について説明する。発熱量の多い電子部品７４ａより発生する熱は、伝熱シート１０６ｃを介して、コネクタベース１０３の庇部１０３ｂに伝わる。そして、熱はコネクタベース１０３の部分１０３ｃに貼着される伝熱シート１０６ａを介して、フロントカバー１１のフロントグリップ部の裏面部１１ａに伝わる。また、図２（Ａ）と同じように、コネクタベース１０３に伝えられた熱は、伝熱シート１０６ａを介することなく、直接フロントカバー１１の領域１１ｂに伝わる。
【００２０】
次に、図２（Ｃ）の断面図について説明する。外部接続コネクタ７３ａの熱は、伝熱シート１０６ｂを伝わって、コネクタベース１０３の庇部１０３ａに伝わる。そして、熱はコネクタベース１０３の部分１０３ｃに貼り付けられている伝熱シート１０６ａを介して、フロントカバー１１のグリップ部の裏面部１１ａに伝わる。また、図２（Ａ）と同じように、コネクタベース１０３に伝えられた熱は、伝熱シート１０６ａを介することなく、直接フロントカバー１１の領域１１ｂに伝わる。このように、外部接続コネクタ７３ａからの熱はコネクタベース部材を伝わって、フロントグリップ部の裏面部１１ａに伝えることができるので、電子機器の背面側に集中している熱を温度上昇の少ない前面側へ効率よく伝熱させることが可能となる。
フロントグリップ１２は、熱伝導率の低いゴム等の部材で形成されているため、発熱量の多い電子部品７４ａ，７４ｂから発生した熱や外部接続コネクタ７３ａに集まった熱は、フロントグリップ部の裏面部１１ａに伝わったとしても、ユーザの手には伝わり難い。つまり、裏面部１１ａへの伝熱によりフロントグリップ部の著しい温度上昇を惹き起こすおそれはない。
【００２１】
以上、説明したように、本実施形態によれば、発熱源の熱を、熱容量が大きく、かつ、温度上昇の少ないフロントカバーのフロントグリップ部の裏面部へ伝えることで放熱効果を高めることができる。フロントグリップ部は、金属に比べて熱伝導率の低い材料で形成されたフロントグリップで覆われるので、ユーザが熱く感じることなく熱拡散が可能となる。
外部接続コネクタの補強部材に庇部を形成し、熱伝導率の高い伝熱シートを使用することで、より効率的に外部接続コネクタの熱を補強部材、さらにフロントカバーの裏面部へ伝えることができる。また、電子回路基板上に実装されている発熱量の多い電子部品と、外部接続コネクタの補強部材に設けられている庇部とは、熱伝導率の高い伝熱シートを介して接触している。これにより、電子部品から発生する熱を外部接続コネクタの補強部材、さらにフロントカバーの裏面部へ効率よく伝えることができる。
【００２２】
本実施形態では、発熱量の多い電子部品と、操作部材を支持する金属製の支持部材とを、熱伝導率の高い伝熱シートを介して接触させている。さらに、外部接続コネクタの補強部材の庇部に対して操作部材の支持部材を取り付け可能であるので、電子部品から発生する熱を金属製の支持部材および外部接続コネクタの補強部材、さらにフロントカバーの裏面部へ伝達できる。また、外部接続コネクタの補強部材は、外部に露出しているストラップを取り付けるためのストラップベースと一体的に形成されている。よって、外部接続コネクタや電子回路基板上に実装されている電子部品から発生する熱を、外部接続コネクタの補強部材からストラップベースを介して伝熱させて外部へ放熱することができる。また、補強部材にストラップベースを一体化することにより、部品点数を削減できる。
【００２３】
なお、本実施形態では、発熱源に伝熱部材（伝熱シート）を接触させて伝熱する構造について説明したが、このような伝熱部材を介在させることなく直接伝熱する構造でも本発明を実施することができる。
【符号の説明】
【００２４】
１１    フロントカバー（外装部材）
１１ａ  裏面部
１２    フロントグリップ（グリップ部材）
２３ａ−ｅ，２４ａ，２４ｂ    操作ボタン
７２    信号処理基板（回路基板）
７３ａ−ｃ    外部接続コネクタ
７４ａ    電子部品（第１の電子部品）
７４ｂ    電子部品（第２の電子部品）
１０２ａ  ストラップベース
１０３        コネクタベース
１０３ａ，１０３ｂ  庇部
１０６ａ  伝熱シート（第１の伝熱部材）
１０６ｂ  伝熱シート（第２の伝熱部材）
１０６ｃ  伝熱シート（第３の伝熱部材）  １０６ｄ  伝熱シート（第４の伝熱部材）
１０７        操作ボタンユニット
１０７ａ      操作ボタンプレート（支持部材）
【図１】
2013135182.tif 000003
【図２】
2013135182.tif 000004
【図３】
2013135182.tif 000005
【図４】
2013135182.tif 000006
【図５】
2013135182.tif 000007
【図６】
2013135182.tif 000008
【図７】
2013135182.tif 000009